(57)【特許請求の範囲】
【請求項１】
ドライバＩＣであって、
前記ドライバＩＣがタッチディスプレイパネルに結合されるとき、前記ドライバＩＣは、ディスプレイ方式、自己キャパシタ方式及び相互キャパシタ方式で選択的に動作するように配置され、
前記ドライバＩＣが前記ディスプレイ方式で動作するとき、前記ドライバＩＣは、表示データを前記タッチディスプレイパネルの複数のソース線に出力し、
前記ドライバＩＣが前記自己キャパシタ方式で動作するとき、前記ドライバＩＣは、前記ソース線を制御し、前記ソース線は前記ドライバＩＣによって生成される所定の電圧を受信し、
前記ドライバＩＣが前記相互キャパシタ方式で動作するとき、前記ドライバＩＣは、インパルス信号を前記ソース線に順次送信する、
ドライバＩＣ。
【請求項２】
前記ドライバＩＣが前記ディスプレイ方式で動作するとき、前記ドライバＩＣは、前記タッチディスプレイパネルの共通線を制御し、前記共通線に共通電圧を提供し、
前記ドライバＩＣが前記相互キャパシタ方式で動作するとき、前記共通線の第１セクションは、順次、フローティング状態である、請求項１に記載のドライバＩＣ。
【請求項３】
前記ドライバＩＣが前記相互キャパシタ方式で動作するとき、前記ドライバＩＣは、前記共通線の前記第１セクションのうちの１つを制御してフローティング状態にし、かつ、前記共通線の前記第１セクションのうちの残りを制御し、前記第１セクションのうちの残りを基準電圧に接続し、
前記ドライバＩＣは、フローティング状態である、前記共通線の前記第１セクションのうちの前記１つに対応する前記ソース線のうちの１つに、前記インパルス信号を送信する、請求項２に記載のドライバＩＣ。
【請求項４】
前記共通電圧を提供するように配置される共通電圧源と、
前記インパルス信号を生成するためのインパルス信号生成器と、
前記表示データを記憶するためのバッファと、
前記表示データ、前記所定の電圧又は前記インパルス信号を前記タッチディスプレイパネルの前記ソース線に選択的に出力するために、かつ、前記共通電圧又は前記基準電圧を前記共通線の前記第１セクションに選択的に出力するか、あるいは、前記共通線の前記第１セクションをフローティング状態にするために、前記共通電圧源、前記インパルス信号生成器及び前記バッファに結合される多重化回路と、を含む、請求項３に記載のドライバＩＣ。
【請求項５】
前記共通電圧を前記タッチディスプレイパネルの前記共通線の第２セクションに選択的に出力するか、あるいは、検出した電圧を前記共通線の前記第２セクションから受け取るために、前記多重化回路は更に配置される、請求項４に記載のドライバＩＣ。
【請求項６】
前記ドライバＩＣが前記自己キャパシタ方式で動作するとき、検出した電圧を前記共通線の前記第１セクションから受け取るために、前記多重化回路は更に配置される、請求項５に記載のドライバＩＣ。
【請求項７】
タッチディスプレイパネルの駆動方法であって、
ディスプレイ方式、自己キャパシタ方式及び相互キャパシタ方式で選択的に動作する工程と、
前記ディスプレイ方式で動作するとき、表示データを前記タッチディスプレイパネルの複数のソース線に出力する工程と、
前記自己キャパシタ方式で動作するとき、前記ソース線を制御し、前記ソース線は所定の電圧を受信する工程と、
前記相互キャパシタ方式で動作するとき、インパルス信号を前記ソース線に順次送信する工程と、
を含む、駆動方法。
【請求項８】
前記ディスプレイ方式で動作するとき、前記タッチディスプレイパネルの共通線を制御し、前記共通線に共通電圧を提供する工程と、
前記自己キャパシタ方式で動作するとき、前記共通線の第１セクションを制御して基準電圧を有する工程と、
前記相互キャパシタ方式で動作するとき、前記共通線の前記第１セクションは、順次、フローティング状態である工程と、を更に含む、請求項７に記載の駆動方法。
【請求項９】
前記相互キャパシタ方式で動作するとき、前記共通線の前記第１セクションのうちの１つを制御してフローティング状態にし、かつ、前記共通線の前記第１セクションのうちの残りを制御し、前記第１セクションのうちの残りを基準電圧に接続し、フローティング状態である、前記共通線の前記第１セクションのうちの前記１つに対応する前記ソース線のうちの１つに、前記インパルス信号を送信する、請求項８に記載の駆動方法。
【請求項１０】
前記ディスプレイ方式で動作するとき、前記共通電圧を前記タッチディスプレイパネルの前記共通線の第２セクションに出力する工程と、
前記自己キャパシタ方式及び前記相互キャパシタ方式で動作するとき、検出した電圧を前記共通線の前記第２セクションから受け取る工程と、を更に含む、請求項９に記載の駆動方法。
【請求項１１】
前記自己キャパシタ方式で動作するとき、検出した電圧を前記共通線の前記第１セクションから受け取る、請求項１０に記載の駆動方法。
【請求項１２】
タッチディスプレイシステムであって、
タッチディスプレイパネルと、
前記タッチディスプレイパネルに結合され、ドライバＩＣがタッチディスプレイパネルに結合されるとき、ディスプレイ方式、自己キャパシタ方式及び相互キャパシタ方式で選択的に動作するように配置されるドライバＩＣと、
を含み、
前記タッチディスプレイパネルは、
複数のゲート線と、
前記ゲート線の上方に配置される複数のソース線と、
前記ソース線の上方に配置される複数の共通線と、
を含み、
前記ゲート線及び前記ソース線は交差し、
前記共通線は、複数の第１セクション及び複数の第２セクションを有し、前記第１セクション及び前記第２セクションは交差し、
前記ドライバＩＣが前記ディスプレイ方式で動作するとき、前記ドライバＩＣは、表示データを前記タッチディスプレイパネルの複数のソース線に出力し、
前記ドライバＩＣが前記自己キャパシタ方式で動作するとき、前記ドライバＩＣは、前記ソース線を制御し、前記ソース線は前記ドライバＩＣによって生成される所定の電圧を受信し、
前記ドライバＩＣが前記相互キャパシタ方式で動作するとき、前記ドライバＩＣは、インパルス信号を前記ソース線に順次送信する、
タッチディスプレイシステム。
【請求項１３】
前記ドライバＩＣが前記ディスプレイ方式で動作するとき、前記ドライバＩＣは、前記タッチディスプレイパネルの共通線を制御し、前記共通線に共通電圧を提供し、
前記ドライバＩＣが前記相互キャパシタ方式で動作するとき、前記共通線の前記第１セクションは、順次、フローティング状態である、請求項１２に記載のタッチディスプレイシステム。
【請求項１４】
前記ドライバＩＣが前記相互キャパシタ方式で動作するとき、前記ドライバＩＣは、前記共通線の前記第１セクションのうちの１つを制御してフローティング状態にし、かつ、前記共通線の前記第１セクションのうちの残りを制御し、前記第１セクションのうちの残りを基準電圧に接続し、前記ドライバＩＣは、フローティング状態である、前記共通線の前記第１セクションのうちの前記１つに対応する前記ソース線のうちの１つに、前記インパルス信号を送信する、請求項１２に記載のタッチディスプレイシステム。
【請求項１５】
共通電圧を提供するように配置される共通電圧源と、
前記インパルス信号を生成するためのインパルス信号生成器と、
前記表示データを記憶するためのバッファと、
前記表示データ、前記所定の電圧又は前記インパルス信号を前記タッチディスプレイパネルの前記ソース線に選択的に出力するために、かつ、前記共通電圧又は前記基準電圧を前記共通線の前記第１セクションに選択的に出力するか、あるいは、前記共通線の一部をフローティング状態にするために、前記共通電圧源、前記インパルス信号生成器及び前記バッファに結合される多重化回路と、を含む、請求項１４に記載のタッチディスプレイシステム。
【請求項１６】
前記共通電圧を前記タッチディスプレイパネルの前記共通線の前記第２セクションに選択的に出力するか、あるいは、検出した電圧を前記共通線の前記第２セクションから受け取るために、前記多重化回路は更に配置される、請求項１５に記載のタッチディスプレイシステム。
【請求項１７】
前記ドライバＩＣが前記自己キャパシタ方式で動作するとき、検出した電圧を前記共通線の前記第１セクションから受け取るために、前記多重化回路は更に配置される、請求項１６に記載のタッチディスプレイシステム。
【発明の詳細な説明】
【技術分野】
【０００１】
（関連出願）
本出願は、２０１５年３月２６日に出願した、米国仮出願第６２／１３８，９５８号に利益を主張し、その内容が本明細書に参照として組み込まれる。
【０００２】
本発明は、タッチディスプレイシステムに関し、特に、ドライバ集積回路（ＩＣ：Ｉｎｔｅｇｒａｔｅｄ  Ｃｉｒｃｕｉｔ）と、ドライバＩＣを含むタッチディスプレイシステムと、関連する駆動方法と、に関する。
【背景技術】
【０００３】
静電容量式タッチ検出（ｃａｐａｃｉｔｉｖｅ  ｔｏｕｃｈ  ｄｅｔｅｃｔｉｏｎ）の分野では、スマートフォンやタブレットなどの電子機器の体積（ｖｏｌｕｍｅ）がより小さくなっており、これがインジウム錫酸化物（ＩＴＯ：Ｉｎｄｉｕｍ  Ｔｉｎ  Ｏｘｉｄｅ）からオンセル又は更にはインセル技術へと静電容量式タッチ検出の発展を押し進めてきた。タッチ箇所を正確に位置付けることができないパネルアーキテクチャの限界に起因して、インセルタッチ検出は、自己キャパシタタッチ検出（ｓｅｌｆ−ｃａｐａｃｉｔｏｒ  ｔｏｕｃｈ  ｄｅｔｅｃｔｉｏｎ）又は相互キャパシタタッチ検出（ｍｕｔｕａｌ−ｃａｐａｃｉｔｏｒ  ｔｏｕｃｈ  ｄｅｔｅｃｔｉｏｎ）によってのみ達成され得る。
【発明の概要】
【０００４】
本発明の目的の１つは、ドライバＩＣと、１つの単一パネルで相互キャパシタタッチ検出及び自己キャパシタタッチ検出を用いることができるドライバＩＣを含むタッチディスプレイシステムと、タッチディスプレイシステムに適用される関連した駆動方法と、を提供することである。
【０００５】
本発明の一実施形態に従って、ドライバＩＣが開示される。ドライバＩＣがタッチディスプレイパネルに結合されるとき、ドライバＩＣは、ディスプレイ方式、自己キャパシタ方式（ｓｅｌｆ−ｃａｐａｃｉｔｏｒ  ｍｏｄｅ）及び相互キャパシタ方式（ｍｕｔｕａｌ−ｃａｐａｃｉｔｏｒ  ｍｏｄｅ）で選択的に動作するように配置される。ドライバＩＣがディスプレイ方式で動作するとき、ドライバＩＣは、表示データをタッチディスプレイパネルの複数のソース線に出力する。ドライバＩＣが自己キャパシタ方式で動作するとき、ドライバＩＣは、ソース線を制御して所定の電圧を有する。ドライバＩＣが相互キャパシタ方式で動作するとき、ドライバＩＣは、インパルス信号をソース線に順次送信する。
【０００６】
本発明の一実施形態に従って、タッチディスプレイパネルの駆動方法が開示される。駆動方法は、以下の工程を含む。ディスプレイ方式、自己キャパシタ方式及び相互キャパシタ方式で選択的に動作する工程と、ディスプレイ方式で動作するとき、表示データをタッチディスプレイパネルの複数のソース線に出力する工程と、自己キャパシタ方式で動作するとき、ソース線を制御して所定の電圧を有する工程と、相互キャパシタ方式で動作するとき、インパルス信号をソース線に順次送信する工程と、を含む。
【０００７】
本発明の一実施形態に従って、タッチディスプレイシステムが開示される。タッチディスプレイシステムは、タッチディスプレイパネル及びドライバＩＣを含む。タッチディスプレイパネルは、複数のゲート線と、ゲート線の上方に配置される複数のソース線と、ソース線の上方に配置される複数の共通線と、を含む。ゲート線及びソース線は、交差する。共通線は、複数の第１セクション及び複数の第２セクションを有し、第１セクション及び第２セクションは、交差する。ドライバＩＣがタッチディスプレイパネルに結合されるとき、タッチディスプレイパネルに結合されるドライバＩＣは、ディスプレイ方式、自己キャパシタ方式及び相互キャパシタ方式で選択的に動作するように配置される。ドライバＩＣがディスプレイ方式で動作するとき、ドライバＩＣは表示データをタッチディスプレイパネルの複数のソース線に出力する。ドライバＩＣが自己キャパシタ方式で動作するとき、ドライバＩＣは、ソース線を制御して所定の電圧を有する。ドライバＩＣが相互キャパシタ方式で動作するとき、ドライバＩＣは、インパルス信号をソース線に順次送信する。
【０００８】
本発明の他の実施形態に従って、タッチディスプレイシステムが開示される。タッチディスプレイシステムは、タッチディスプレイパネルと、ドライバＩＣと、スタイラスと、を含む。タッチディスプレイパネルは、複数のゲート線と、ゲート線の上方に配置される複数のソース線と、ソース線の上方に配置される複数の共通線と、を含む。ゲート線及びソース線は、交差する。共通線は、複数の第１セクション及び複数の第２セクションを有し、第１セクション及び第２セクションは、交差する。ドライバＩＣがタッチディスプレイパネルに結合されるとき、タッチディスプレイパネルに結合されるドライバＩＣは、ディスプレイ方式及び検出方式で選択的に動作するように配置される。ドライバＩＣがディスプレイ方式で動作するとき、ドライバＩＣは表示データをタッチディスプレイパネルの複数のソース線に出力する。スタイラスは、タッチディスプレイパネルをタッチするように、かつ、インパルス信号を生成するように配置される。
【０００９】
さまざまな図形及び図面で示される好ましい実施形態に関する以下の詳細な説明を読むと、本発明の上記及びその他の目的が、当業者にとって明白であることは言うまでもない。
【図面の簡単な説明】
【００１０】
【図１】本発明の一実施形態に従った、タッチディスプレイシステムを図示する図である。
【図２Ａ】本発明の一実施形態に従った、ディスプレイパネルの共通電圧層を図示する図である。
【図２Ｂ】本発明の一実施形態に従った、共通電圧層の下部のソース線及びゲート線を図示する図である。
【図３】本発明の一実施形態に従った、タッチディスプレイシステム１００に適用されるドライバＩＣを図示する図である。
【図４】本発明の一実施形態に従った、相互キャパシタ方式及び自己キャパシタ方式の容量変化を図示する図である。
【図５】本発明の一実施形態に従った、ディスプレイ方式、相互キャパシタ方式及び自己キャパシタ方式に関するタイミングアレンジメントを図示するタイミング図である。
【図６】本発明の一実施形態に従った、タッチディスプレイシステムに適用される駆動方法を図示するフローチャートである。
【図７】本発明の他の実施形態に従った、タッチディスプレイシステムを図示する図である。
【発明を実施するための形態】
【００１１】
発明を実施するための形態及び下記の特許請求の範囲全体にわたって、特定の文言が用いられる。当業者が諒解するように、製造者たちは、異なる名称で構成要素を言及することができる。本明細書は、機能ではなく名称が異なる構成要素間の区別をするつもりはない。下記の発明を実施するための形態及び特許請求の範囲において、「含む（“ｉｎｃｌｕｄｅ”）」及び「含む（“ｃｏｍｐｒｉｓｅ”）」という文言は、オープンエンド形式で用いられるため、「〜から成る（“ｃｏｎｓｉｓｔ  ｏｆ”）」などのクローズエンド形式の文言として解釈されるべきではない。また、「結合する（“ｃｏｕｐｌｅ”）」という文言は、間接的又は直接的な電気接続を意味するように意図されている。従って、あるデバイスが他のデバイスに結合される場合、その接続は、直接的な電気接続を介すか、あるいは、他のデバイス及び接続を経由する間接的な電気接続を介すことができる。
【００１２】
図１は、本発明の一実施形態に従った、タッチディスプレイシステム１００を図示する図である。タッチディスプレイシステム１００は、タッチディスプレイパネル１０１及びドライバ集積回路（ＩＣ）１０２を含む。タッチディスプレイパネル１０１は、スマートフォン、タブレット、あるいは、タッチディスプレイパネルを含む任意のデバイスなどの電子機器に適用され得る。タッチディスプレイパネル１０１に結合されるドライバＩＣ１０２は、ディスプレイ方式、相互キャパシタ方式及び自己キャパシタ方式で選択的に動作することができる。タッチディスプレイパネル１０１及びドライバＩＣ１０２について、以下で詳細に説明する。
【００１３】
図２Ａ及び図２Ｂは、タッチディスプレイパネル１０１のアーキテクチャを図示する。本発明の一実施形態に従って、図２Ａ及び図２Ｂは、タッチディスプレイパネル１０１の共通電圧層と、共通電圧層の下部のソース線及びゲート線と、を図示する図である。図２Ａ及び図２Ｂで示すように、タッチディスプレイパネル１０１は、第１金属層、第２金属層及び共通電圧層を含む。図２Ａでは、共通電圧層は、複数の垂直セクションＣＯＭＶ１からＣＯＭＶｍと、複数の水平セクションＣＯＭＨ１からＣＯＭＨｍと、に分けることができる。複数の垂直セクションＣＯＭＶ１からＣＯＭＶｍの各々は、２つの垂直セグメント、例えば、図２Ａに示す、垂直セグメントＣＯＭＶ１１及びＣＯＭＶ１２を含む。複数の水平セクションＣＯＭＨ１からＣＯＭＨｍの各々は、複数の水平セグメントを含む。各水平セクションの複数の水平セグメントの第１セグメント、例えば、図２Ａに示す水平セグメントである、ＣＯＭＨ１１、ＣＯＭＨ２１、…及びＣＯＭＨｍ１は、共通電圧層の上方に配置される第３金属層を介して一緒に接続されて、図２Ａに示す水平セットＨＳ１を構成する。同様に、各水平セクションの複数の水平セグメントの第２セグメントは、第３金属層を介して一緒に接続されて、水平セットＨＳ２などを構成する。複数の水平セットＨＳ１からＨＳｎ及び複数の垂直セグメントは、ドライバＩＣ１０２に結合される。
【００１４】
図２Ｂに示すように、共通電圧層の下部の第２金属層は、複数のソース線Ｓ１からＳｉを含み、各ソース線は、複数の垂直セグメントのうちの１つか、あるいは、複数の水平セクションのうちの１つと実質的に対応する。複数のソース線Ｓ１からＳｉは、ドライバＩＣ１０２に結合され、かつ、ドライバＩＣが動作する方式に従って、ドライバＩＣによって生成されるインパルス信号、表示データ又は所定の電圧を受信するために、配置される。第１金属層は、第２金属層の下部にあり、複数のゲート線ｇ１からｇｊを含む。図２Ｂに示すように、複数のソース線Ｓ１からＳｍ及び複数のゲート線ｇ１からｇｎは、交差する。
【００１５】
図３は、本発明の一実施形態に従った、タッチディスプレイシステム１００に適用されるドライバＩＣ１０２を図示する図である。ドライバＩＣは、多重化回路３０１、共通電圧源３０２、バッファ３０３、インパルス信号生成器３０４及びアナログ処理回路３０５を含む。共通電圧源３０２は、共通電圧層、つまり、複数の垂直セグメント及び複数の水平セクションに、共通電圧を提供するために、配置される。バッファ３０３は、表示データを記憶するために配置される。インパルス信号生成器３０４は、順次、複数のソース線にインパルス信号を生成するために、配置される。アナログフロントエンド及び複数のアナログ−デジタル変換器を含むアナログ処理回路３０５は、複数の水平セット及び複数の垂直セグメントから受信される信号を処理するために、配置される。多重化回路３０１は、共通電圧源３０２、バッファ３０３、インパルス信号生成器３０４及びアナログ処理回路３０５に結合され、かつ、複数の垂直セグメント、複数の水平セット及び複数のソース線に出力されるか、あるいは、それらから受信される信号を制御するために、配置される。加えて、多重化回路３０１は、第１多重化ユニット３１１及び第２多重化ユニット３１２を含む。図３に示すように、第１多重化ユニット３１１は、複数の垂直セグメント及び複数のソース線Ｓ１からＳｍに結合され、第２多重化ユニット３１２は、第１多重化ユニット３１１及び複数の水平セットに結合される。
【００１６】
ドライバＩＣ１０２がディスプレイ方式で動作するとき、多重化回路３０１は、共通電圧層、つまり、複数の垂直セグメント及び複数の水平セクションを制御して、共通電圧源３０２によって提供される共通電圧を有する。また、多重化回路３０１は、第１多重化ユニット３１１を介して、バッファ３０３に記憶される表示データを複数のソース線に送信する。言い換えると、ディスプレイ方式では、タッチディスプレイパネル１０１は、ドライバＩＣ１０２から表示データを受信して、スクリーン上に画像を表示する。
【００１７】
ドライバＩＣ１０２が相互キャパシタ方式で動作するとき、第１多重化ユニット３１１は、複数の垂直セグメントのうちの１つ、例えば、ＣＯＭＶ１１を順次制御してフローティング状態にし、かつ、他のセグメントを制御して基準電圧に接続する。この場合、基準電圧は非常に低い電圧を有し、これにより、接地する。加えて、第１多重化ユニット３１１は、インパルス信号生成器３０４によって生成されるインパルス信号を、フローティング状態の垂直セグメントに対応する、複数のソース線Ｓ１からＳｍのうちの１つに送信する。ソース線と、対応するフローティング状態の垂直セグメントとの間のキャパシタに起因して、インパルス信号は、キャパシタを介してフローティング状態のセグメントに結合され得る。複数の水平セットＨＳ１からＨＳｎの信号は、第２多重化ユニット３１２を介して、アナログ処理回路３０５に送信される。このようにして、対応する水平セグメントを含む水平セットの信号をアナログ処理回路３０５よって検出することで、フローティング状態の垂直セグメントに対応し、かつ、インパルス信号を伝送するソース線と、フローティング状態の垂直セグメントに隣接する水平セグメントとの間の容量変化が（もしあれば）、検出され得る。例えば、水平セグメントＣＯＭＨ１１がタッチされる場合、垂直セグメントＣＯＭＶ１１が多重化回路３０１によって制御されてフローティング状態になり、かつ、垂直セグメントＣＯＭＶ１１に対応するソース線Ｓ１にインパルス信号が送信されるとき、インパルス信号は、垂直セグメントＣＯＭＶ１１に結合し、水平セグメントＣＯＭＨ１１と、ソース線Ｓ１との間の容量は、それに応じて変化する。次いで、容量変化は、水平セットＨＳ１の信号を介してアナログ処理回路３０５によって検出される。相互キャパシタ方式の容量変化に関する詳細な例示については、図４で議論される。
【００１８】
ドライバＩＣ１０２が自己キャパシタ方式で動作するとき、多重化回路３０１は、第１多重化ユニット３１１及び第２多重化ユニット３１２を介して、複数の垂直セグメントの信号をアナログ処理回路３０５に送信し、かつ、複数の水平セットを制御してフローティング状態にする。加えて、第１多重化ユニット３１１は、複数のソース線を制御して所定の電圧を有する。このようにして、垂直セグメントと、次の水平セクションとの間、垂直セグメントと、対応するソース線との間、そして、垂直セグメントと、対応するゲート線との間の容量変化は、垂直セグメントの信号を介してアナログ処理回路３０５によって検出される。例えば、ドライバＩＣ１０２が、自己キャパシタ方式で動作するとき、垂直セグメントＣＯＭＶ１１がタッチされる場合、垂直セグメントＣＯＭＶ１１と、水平セクションＣＯＭＨ１との間、垂直セグメントＣＯＭＶ１１と、対応するソース線Ｓ１との間、そして、垂直セグメントＣＯＭＶ１１と、対応するゲート線ｇ１との間の容量変化は、アナログ処理回路３０５によって検出される。自己キャパシタ方式の容量変化に関する詳細な例示は、図４により提供される。
【００１９】
ドライバＩＣが自己キャパシタ方式で動作するとき、複数の垂直セグメントの信号をアナログ処理回路３０５に送信すること、そして、複数の水平セットをフローティング状態にすることに限定されない。本発明の他の実施形態において、自己キャパシタ方式では、複数の水平セットの信号が、第２多重化ユニット３１２を介してアナログ処理回路３０５に送信され、第１多重化ユニット３１１は、複数の垂直セグメントを制御してフローティング状態にする。これは、同様の所望の目的を達成させることもできる。動作は、上記段落中の説明と同様であるので、本明細書では省略する。
【００２０】
自己キャパシタ方式では、複数のソース線及び複数のゲート線は、所定の電圧を有する代わりに、制御されて、フローティング状態になるか、あるいは、複数の水平セット（又は複数の垂直セグメントで、それに基づいて一部がアナログ処理回路３０５に接続される）と同じ電圧を有することができる。これにより、垂直セグメント及び水平セグメントから見られる等価容量は低減されて、検出された信号が小さくなり過ぎないようにすることができる。
【００２１】
図４は、本発明の一実施形態に従った、相互キャパシタ方式及び自己キャパシタ方式の容量変化を図示する図である。図４に示すように、ドライバＩＣが相互キャパシタ方式で動作すると仮定すると、垂直セグメントＣＯＭＶ１１は制御されてフローティング状態となり、インパルス信号はソース線Ｓ１からの垂直セグメントＣＯＭＶ１１に結合される。この時、図４に示すように、水平セクションＣＯＭＨ１と、ソース線Ｓ１との間の等価容量は、Ｃｍｕｔｕａｌ＝ＣＳＶ＊ＣＶＨ／（ＣＳＶ＋ＣＶＨ）である。ドライバＩＣが自己キャパシタ方式で動作すると仮定すると、垂直セグメントＣＯＭＶ１１とソース線Ｓ１との間（つまり、ＣＳＶ）、垂直セグメントＣＯＭＶ１１とゲート線ｇ１との間（つまり、ＣＧＶ）、そして、垂直セグメントＣＯＭＶ１１と水平セクションＣＯＭＨ１との間（つまり、ＣＶＨ）の容量が変化する場合、アナログ処理回路３０５はその変化を検出する。
【００２２】
図５は、本発明の一実施形態に従った、ディスプレイ方式、相互キャパシタ方式及び自己キャパシタ方式に関するタイミングアレンジメントを図示するタイミング図である。図５に示すように、各フレームでは、ディスプレイ方式は期間の一部を占め、検出方式は残りの期間を占める。加えて、相互キャパシタ方式及び自己キャパシタ方式は、検出のためのフレーム中で順次用いられる。本実施形態において、第１フレームでは、ディスプレイ方式が第１フレームの期間の６６％を占め、自己キャパシタ方式が第１フレームの期間の３４％を占める。第２フレームでは、ディスプレイ方式が第２フレームの期間の６６％を占め、相互キャパシタ方式が第２フレームの期間の３４％を占めるなどである。ディスプレイ方式及び検出方式の期間は、本明細書では例示目的だけであって、本発明を限定するものではない。最良の性能を達成することができる任意の適切な期間は、本発明の範囲内に該当する。
【００２３】
図６は、本発明の一実施形態に従った、タッチディスプレイシステムに適用される駆動方法を図示するフローチャートである。結果が実質的に同じ場合、ステップは、図６で示したまさにその順で実行される必要はない。工程について以下で説明する。
【００２４】
ステップ６００：工程を開始する。
【００２５】
ステップ６０２：ドライバＩＣ１０２は、フレームの期間の一部（例えば、６６％）では、ディスプレイ方式で動作し、表示データを複数のソース線に出力する。ステップ６０４に進む。
【００２６】
ステップ６０４：ドライバＩＣ１０２は、フレームの残りの期間（例えば、３４％）では、自己キャパシタ方式で動作し、複数のソース線を制御して所定の電圧を有する。ステップ６０６に進む。
【００２７】
ステップ６０６：ドライバＩＣ１０２は、他のフレームの期間の一部（例えば、６６％）では、ディスプレイ方式で動作し、表示データを複数のソース線に出力する。ステップ６０８に進む。
【００２８】
ステップ６０８：ドライバＩＣ１０２は、フレームの残りの期間（例えば、３４％）では、相互キャパシタ方式で動作し、インパルス信号をソース線に順次送信する。ステップ６０２に戻る。
【００２９】
図７は、本発明の他の実施形態に従ったタッチディスプレイシステム７００を図示する図である。タッチディスプレイシステム７００は、タッチディスプレイパネル７０１、ドライバＩＣ７０２及びスタイラス７０３を含む。タッチディスプレイパネル７０１は、タッチディスプレイパネル１０１と同一であり、そのため、タッチディスプレイパネル７０１に関する詳細な説明は、図２Ａ及び図２Ｂの実施形態を参照することによって理解することができる。本実施形態において、スタイラス７０３は、図３の実施形態で説明されるドライバＩＣ１０２におけるインパルス信号生成器３０４などのインパルス信号生成器でよい。インパルス信号生成器とは別に、ドライバＩＣ７０２はドライバＩＣ１０２と同様である。ドライバＩＣ７０２がディスプレイ方式で動作するとき、タッチディスプレイシステム７００の動作は、タッチディスプレイシステム１００の動作と同一である。ドライバＩＣ７０２が、上記で説明された相互キャパシタ方式としての検出方式で動作するとき、スタイラス７０３は、図３の実施形態におけるインパルス信号生成器３０４に取って代わり、また、タッチディスプレイパネル７０１をタッチするように使用される。上記の段落における実施形態を読めば、当業者は本実施形態の詳細な実施を理解するはずである。
【００３０】
なお、相互キャパシタ方式及び自己キャパシタ方式の両方を用いることができる限り、タッチディスプレイパネル１０１及びタッチディスプレイパネル７０１の共通電圧層の概要（ｓｃｈｅｍａｔｉｃ）は、図１及び図７の実施形態において説明されるものに限定されない。多重化回路が、図３の実施形態において説明されるような上述の機能を実行することができる限り、多重化回路３０１のアーキテクチャも、本明細書に限定されない。これらの代替的な設計も、本発明の範囲内に該当する。
【００３１】
簡単にまとめると、本発明は、ドライバＩＣ、タッチディスプレイシステム及び駆動方法を開示する。これらは、相互キャパシタ方式及び自己キャパシタ方式の両方を用い、タッチされた箇所を正確に位置付けして、先行技術における課題を解決することができる。
【００３２】
当業者であれば、本発明の教示を維持しながら、デバイス及び方法の多くの変更及び代替が行われ得ることを容易に認識するであろう。従って、上記の開示は、添付された請求項の境界及び範囲（ｍｅｔｅｓ  ａｎｄ  ｂｏｕｎｄｓ）によってのみ限定されるとして理解されるべきである。
【符号の説明】
【００３３】
１００    タッチディスプレイシステム
１０１    タッチディスプレイパネル
１０２    ドライバ集積回路（ドライバＩＣ）
３０１    多重化回路
３０２    共通電圧源
３０３    バッファ
３０４    インパルス信号生成器
３０５    アナログ処理回路
３１１    第１多重化ユニット
３１２    第２多重化ユニット
６００    ステップ
６０２    ステップ
６０４    ステップ
６０６    ステップ
６０８    ステップ
７００    タッチディスプレイシステム
７０１    タッチディスプレイパネル
７０２    ドライバＩＣ
７０３    スタイラス
【図１】
0006050866.tif 000002
【図２Ａ】
0006050866.tif 000003
【図２Ｂ】
0006050866.tif 000004
【図３】
0006050866.tif 000005
【図４】
0006050866.tif 000006
【図５】
0006050866.tif 000007
【図６】
0006050866.tif 000008
【図７】
0006050866.tif 000009